(57)【特許請求の範囲】
【請求項１】
底板上の略中央部に載置された圧縮機と、同圧縮機の背面側と両側とにわたって設けられ、略凹状に折曲形成された熱交換器と、同熱交換器の背面部に対向して設けられた送風ファンと、前記熱交換器の上面に取付けられた保持板上に載置された電気部品を収容した電装品箱と、前記底板上に立設され、前記熱交換器および送風ファンが配置される送風路と、前記熱交換器に連なる配管および四方弁等が配置される配管部とに区画する仕切板と、一端が前記電装品箱の電気部品に接続され、他端が前記保持板を挿通して前記送風路を通過した後、前記仕切板を挿通して前記配管部に導かれ、前記四方弁等に接続されたリード線と、前記底板に被着され、前記熱交換器を臨ませた吸込口を有するリアカバーおよび前記送風ファンを臨ませた吹出口を有するフロントカバーと前記電装品箱の上部を覆うトップカバーとからなる外胴と、前記吹出口の内側に設けられ、前記送風ファンの外形に沿わせたファンリングとを備えてなる空気調和機の室外機において、
前記ファンリングには、その吸込側の外周縁に、前記保持板および前記仕切板に当接し、同保持板および仕切板との間に前記送風路を通過するリード線を収容するための空間を形成する遮蔽リブが設けられていることを特徴とする空気調和機。
【発明の詳細な説明】
【０００１】
【発明の属する技術分野】
本発明は、空気調和機の室外機に係わり、より詳細には、吹出口の内側に設けられたファンリングにより、送風ファン上部の電装品箱から導出し送風路を通過して仕切板を挿通し、配管および四方弁等を配置した配管部に導かれるリード線を、前記送風路に侵入し前記送風ファンにより飛散した雨水から保護できるようにした構造に関する。
【０００２】
【従来の技術】
従来の空気調和機の室外機は、図１（Ａ）および図１（Ｂ）で示すように、底板１上の前面側略中央に載置された圧縮機２と、同圧縮機２の背面側と両側とにわたって設けられ、略凹状に折曲形成された熱交換器３と、同熱交換器３の背面部に対向して設けられた送風ファン４と、前記熱交換器３の両側に取り付けられた側板の上端に固定された保持板６上に保持され、電気部品を収容した電装品箱７と、前記底板１上に立設し、同底板１上を前記熱交換器３および前記送風ファン４を配置した送風路ａと、前記熱交換器３に連なる配管および四方弁等（図示せず）を配置する配管部ｂとに区画する仕切板５と、一端が前記電装品箱７内の電気部品に接続され、他端が前記保持板６に設けた第一挿通孔を挿通して前記送風路ａを通過したのちに、前記仕切板５に設けた第二挿通孔を挿通して前記配管部ｂに導かれ、前記四方弁のコイル等（図示せず）に接続されるリード線８と、前記底板１に被着され、前記熱交換器３を臨ませた吸込口を有するリヤカバー11および前記送風ファン４を臨ませた吹出口を有するフロントカバー10と前記電装品箱７の上部を覆うトップカバー９とからなる外胴と、前記吹出口の内側に設けられ、前記送風ファン４の外形に沿わせたファンリング12とで構成されていた。
【０００３】
しかしながら、前記吹出口などから前記送風路ａに侵入した雨水が前記送風ファン４によって飛散した際、飛散した雨水が前記リード線８を伝わって前記配管部ｂに侵入してしまい、同配管部ｂに配置された前記四方弁のコイル等（図示せず）の故障の原因になってしまうという問題を有していた。
【０００４】
【発明が解決しようとする課題】
本発明においては、上記の問題点に鑑み、吹出口の内側に設けられたファンリングにより、送風ファン上部の電装品箱から導出し送風路を通過して、仕切板を挿通し配管および四方弁等を配置した配管部に導かれるリード線を、前記送風路に侵入し前記送風ファンにより飛散した雨水から保護するようにした空気調和機の室外機を提供することを目的とする。
【０００５】
【課題を解決するための手段】
本発明は、上記問題を解決するため、底板上の略中央部に載置された圧縮機と、同圧縮機の背面側と両側とにわたって設けられ、略凹状に折曲形成された熱交換器と、同熱交換器の背面部に対向して設けられた送風ファンと、前記熱交換器の上面に取付けられた保持板上に載置された電気部品を収容した電装品箱と、前記底板上に立設され、前記熱交換器および送風ファンが配置される送風路と、前記熱交換器に連なる配管および四方弁等が配置される配管部とに区画する仕切板と、一端が前記電装品箱の電気部品に接続され、多端が前記保持板を挿通して前記送風路を通過した後、前記仕切板を挿通して前記配管部に導かれ、前記四方弁等に接続されたリード線と、前記底板に被着され、前記熱交換器を臨ませた吸込口を有するリアカバーおよび前記送風ファンを臨ませた吹出口を有するフロントカバーと前記電装品箱の上部を覆うトップカバーとからなる外胴と、前記吹出口の内側に設けられ、前記送風ファン機の外形に沿わせたファンリングとを備えた空気調和機の室外機において、
前記ファンリングには、その吸込側の外周縁に、前記保持板および前記仕切板に当接し、同保持板および仕切板との間に前記送風路を通過する前記リード線を収容するための空間を形成する遮蔽リブが設けられた構成となっている。
【００１７】
【発明の実施の形態】
以下、本発明の実施の形態を、添付図面に基づいた実施例として説明する。
図１（Ａ）および図１（Ｂ）と、図２と、図３（Ａ）および図３（Ｂ）と、図４（Ａ）および図４（Ｂ）と、図５（Ａ）乃至図５（Ｄ）とにおいて、１は空気調和機の室外機本体を構成する底板、２は同底板１上の前面側略中央に載置された圧縮機、３は同圧縮機２の背面側と両側とにわたって設けられ、略凹状に折曲形成された熱交換器、４は同熱交換器３の背面部に対向して設けられた送風ファン、５は前記底板１上に立設し、同底板１上を前記熱交換器３および前記送風ファン４を配置した送風路ａと、前記熱交換器３に連なる配管および四方弁等（図示せず）を配置する配管部ｂとに区画するための仕切板、６は前記熱交換器３の両側に取り付けられた側板の上端に固定された保持板、７は同保持板６上に保持されて電気部品を収容した電装品箱、８は一端が同電装品箱７内の電気部品に接続され、他端が前記保持板６に設けた第一挿通孔6aを挿通して前記送風路ａを通過したのちに、前記仕切板５に設けた第二挿通孔5aを挿通して前記配管部ｂに導かれ、前記四方弁のコイル等（図示せず）に接続されるリード線である。
【００１８】
９は前記電装品箱７の上部を覆うトップカバー、10は前記底板に被着され、前記送風ファン４を臨ませた吹出口を有するフロントカバー、11は前記熱交換器３を臨ませた吸込口を有するリヤカバーで、これらトップカバー９とフロントカバー10とリヤカバー11とで外胴が構成され、前記フロントカバー10の内側には、前記送風ファン４の外形に沿わせたファンリング12が設けられた構成となっている。
【００１９】
前記ファンリング12は、図２（Ｂ）および図４（Ａ）、（Ｂ）に示されているように、その吸込側の外周縁に、前記保持板６および前記仕切板５に当接し、同保持板６および仕切板５との間に前記送風路ａを通過する前記リード線８を収容するための空間を形成する遮蔽リブ13を一体的に形成しており、後述する係合手段によって前記保持板６および前記仕切板５に隙間なく取付けられる。なお、遮蔽リブ13は図３（Ａ）、（Ｂ）に示されているように、吸込側の外周縁に前後方向に複数設けても良い。
【００２０】
また、前記保持板６に形成される第一挿通孔６ａおよび前記仕切板５に形成される第二挿通孔５ａは、図１（Ａ）に示されているように、前記リード線８を収容する空間に面する前記送風ファン４の垂直中心線より右側の位置および前記仕切板５に形成される第二挿入孔５ａは前記送風ファン４の水平中心線より上側のｃ寸法の位置に夫々設けられている。
【００２１】
また、前記第一挿通孔6ａおよび第二挿通孔５ａは、図２（Ａ）に示されているように、前記保持板６および仕切板５の端面より内側に向けて略Ｕ字状に切欠されており、その周縁部には第一フランジ部６ｂおよび第二フランジ部５ｂが夫々形成されている。
【００２６】
また、前記ファンリング12を前記保持板６および仕切板５に隙間なく取付けるための係合手段は、前記遮蔽リブ13の周縁部に対応して前記仕切板５および、または前記保持板６に設けられる後述する係合部に前記遮蔽リブ13の周縁部を係合する構成となっている。
【００２７】
また、前記仕切板５および、または保持部６に設けられる係合部は、第一の例として図５（Ａ）に示されているように、前記遮蔽リブ13の周縁部一側面に対向して、前記仕切板５および、または前記保持板６に突設された係合片５ｃからなり、同係合片５ｃに前記遮蔽リブ13の周縁部一側面を係合するようにしている。
【００２８】
また、第二の例として図５（Ｂ）に示されているように、前記遮蔽リブ13の周縁部他側面に対向して、前記仕切板５および、または前記保持板６に形成された段部５ｄからなり、同段部５ｄに前記遮蔽リブ13の周縁部他側面を係合するようにしている。
【００２９】
また、第三の例として図５（Ｃ）に示されているように、前記遮蔽リブ13の周縁部一側面に対向して、前記仕切板５および、または前記保持板６に形成された凸部５ｅからなり、同凸部５ｄに前記遮蔽リブ13の周縁部一側面を係合するようにしている。
【００３０】
また、第四の例として図５（Ｄ）に示されているように、前記遮蔽リブ13の周縁部先端に対向して、前記仕切板５および、または前記保持板６に形成された溝部５ｆからなり、同溝部５ｆに前記遮蔽リブ13の周縁部先端を係合するようにしている。
【００３１】
以上の構成により、前記保持板６の第一挿通孔６ａを挿通して送風部ａを通過した後、前記仕切板５の第二挿通孔５ａを挿通して前記配管部に導かれ、前記四方弁等に接続されるリード線８は、送風部ａを通過する際、前記ファンリング12に形成された遮蔽リブ13と前記保持板６および前記仕切板５との間に形成された空間に収容され、前記送風部ａに侵入し、前記送風ファン４により飛散した雨水から保護されることになる。
【００３２】
【発明の効果】
以上説明したように、本発明によれば、吹出口の内側に設けられたファンリングにより、送風ファン上部の電装品箱から導出し送風路を通過して、仕切板を挿通し配管および四方弁等を配置した配管部に導かれるリード線を、前記送風路に侵入し前記送風ファンにより飛散した雨水から保護するようにした空気調和機の室外機となる。
【図面の簡単な説明】
【図１】本発明および従来例による空気調和機の室外機の説明図で、（Ａ）は正面から見た断面図であり、（Ｂ）は（Ａ）で示すＡーＡ断面図である。
【図２】本発明による空気調和機の室外機の説明図で、（Ａ）は本体の要部斜視図であり、（Ｂ）はファンリングの斜視図である。
【図３】本発明による空気調和機の室外機の要部説明図で、（Ａ）は複数の遮蔽リブを設けたファンリングの背面側の斜視図であり、（Ｂ）は上方からの矢視図である。
【図４】本発明による空気調和機の室外機の要部説明図で、（Ａ）は単数の遮蔽リブを設けたファンリングの背面側の斜視図であり、（Ｂ）は上方からの矢視図である。
【図５】本発明による空気調和機の室外機の要部断面図で、（Ａ）は第一の例を示し、（Ｂ）は第二の例を示し、（Ｃ）は第三の例を示し、（Ｄ）は第四の例を示す。
【符号の説明】
１  底板
２  圧縮機
３  熱交換器
４  送風ファン
５  仕切板
5a  第一挿通孔
5b  第一フランジ
5c  係合片
5d  段部
5e  凸部
5f  溝部
６  保持板
6a  第二挿通孔
6b  第二フランジ
７  電装品箱
８  リード線
９  トップカバー
10  フロントカバー
11  リヤカバー
12  ファンリング
13  遮蔽リブ
ａ  送風路
ｂ  配管部
【図１】
0003991431.tif 000002
【図２】
0003991431.tif 000003
【図３】
0003991431.tif 000004
【図４】
0003991431.tif 000005
【図５】
0003991431.tif 000006